【手続補正書】
【提出日】平成30年8月14日(2018.8.14)
【手続補正１】
【補正対象書類名】特許請求の範囲
【補正対象項目名】全文
【補正方法】変更
【補正の内容】
【特許請求の範囲】
【請求項１】
別の材料からコーティング材を除去するためのシステムであって、
ステージングホッパーと、
デコーティングミルに前記ステージングホッパーを動作可能に接続する第２のエレベータであって、前記デコーティングミルが、デコーティングミルタンク及び前記デコーティングミルタンクの中で配向される少なくとも１つの回転刃を有し、前記少なくとも１つの回転刃が、水平に及び垂直に平行移動することができる、第２のエレベータと、
ダンプホッパー及び回収タンクを有するふるい分けステーションであって、前記ふるい分けステーションが、前記デコーティングミルからデコーティングされたスラリーを受け取るために、前記デコーティングミルに動作可能に結合される、ふるい分けステーションと、
前記ダンプホッパーからデコーティングされた材料を受け取るために、前記ダンプホッパーに動作可能に結合される洗浄機と、
前記洗浄機から前記デコーティングされた材料を受け取るために、前記洗浄機に動作可能に結合される乾燥器と、
前記乾燥器から前記デコーティングされた材料を受け取り、前記デコーティングされた材料を産出するために、前記乾燥機に動作可能に結合される吸引装置と、
前記回収タンク及び沈殿槽の内の少なくとも１つからコーティングスラッジを受け取るために、前記回収タンク及び前記沈殿槽の内の少なくとも１つに動作可能に結合される大型廃水フィルタプレスと、
前記大型廃水フィルタプレス、前記洗浄機、前記乾燥器、前記回収タンク、及び前記沈殿槽の内の少なくとも１つからプロセス水を受け取って濾過するために、前記大型廃水フィルタプレス、前記洗浄機、前記乾燥器、前記回収タンク、及び前記沈殿槽の内の少なくとも１つに動作可能に結合される少なくとも１つのプロセス水フィルタプレスと、
前記大型廃水フィルタプレス、前記洗浄機、前記乾燥器、及び前記沈殿槽の内の少なくとも１つから水を受け取って濾過するために、前記大型廃水フィルタプレス、前記洗浄機、前記乾燥器、及び前記沈殿槽の内の少なくとも１つに動作可能に結合される清浄水フィルタと、
前記洗浄機及び前記ダンプホッパーの内の少なくとも１つから前記デコーティングされた材料を受け取るために、前記洗浄機及び前記ダンプホッパーの内の少なくとも１つに動作可能に結合される水分離システムと、
前記デコーティングミル、前記回収タンク、前記洗浄機、加熱タンク、及び水タンクの内の少なくとも１つに動作可能に結合されるステージングタンクと、
前記加熱タンクの内容物を加熱するために、前記加熱タンクに動作可能に結合される給湯器と、
前記デコーティングミルにプロセス薬品を送達するために、前記デコーティングミルに動作可能に結合されるプロセス薬品供給システムと、
を備える、システム。
【請求項２】
前記少なくとも１つの回転刃が、水平方向で前記デコーティングミルタンクに対して４５．７ｃｍだけ平行移動することができる、請求項１に記載のシステム。
【請求項３】
前記少なくとも１つの回転刃が、垂直方向で前記デコーティングミルタンクに対して１２１．９ｃｍだけ平行移動することができる、請求項１に記載のシステム。
【請求項４】
前記少なくとも１つの回転刃が３つの回転刃を含む、請求項１に記載のシステム。
【請求項５】
前記ふるい分けステーションが脱水ふるいをさらに備える、請求項１に記載のシステム。
【請求項６】
前記ダンプホッパー及び前記回収タンクが、斜めに延在する壁によって互いから分離される、請求項１に記載のシステム。
【請求項７】
第１のエレベータによって前記ステージングホッパーに動作可能に接続された積載ホッパーをさらに備える、請求項１に記載のシステム。
【請求項８】
前記プロセス薬品供給システムが少なくとも１つの秤を含む、請求項１に記載のシステム。
【請求項９】
前記ステージングホッパーが荷降ろしシステムに動作可能に接続される、請求項１に記載のシステム。
【請求項１０】
前記水分離システムが、少なくとも１つの横断方向パドルホイールを有する分離タンクを含む、請求項１に記載のシステム。
【請求項１１】
前記水分離システムが、沈下物スクリーナー及び浮遊物スクリーナーの内の少なくとも１つを含む、請求項１に記載のシステム。
【請求項１２】
別の材料からコーティング材を除去するためのシステムであって、
ステージングホッパーと、
デコーティングミルに前記ステージングホッパーを動作可能に接続する第２のエレベータであって、前記デコーティングミルが、デコーティングミルタンク及び前記デコーティングミルタンクの中で配向される少なくとも１つの回転刃を有する、第２のエレベータと、
ダンプホッパー、回収タンク、及び脱水ふるいを有するふるい分けステーションであって、前記ダンプホッパー及び前記回収タンクが、斜めに延在する壁によって互いから分離され、前記ふるい分けステーションが、前記デコーティングミルからデコーティングされたスラリーを受け取るために、前記デコーティングミルに動作可能に結合される、ふるい分けステーションと、
前記ダンプホッパーからデコーティングされた材料を受け取るために、前記ダンプホッパーに動作可能に結合される洗浄機と、
前記洗浄機から前記デコーティングされた材料を受け取るために、前記洗浄機に動作可能に結合される乾燥器と、
前記乾燥器から前記デコーティングされた材料を受け取り、前記デコーティングされた材料を産出するために、前記乾燥機に動作可能に結合される吸引装置と、
前記回収タンク及び沈殿槽の内の少なくとも１つからコーティングスラッジを受け取るために、前記回収タンク及び前記沈殿槽の内の少なくとも１つに動作可能に結合される大型廃水フィルタプレスと、
前記大型廃水フィルタプレス、前記洗浄機、前記乾燥器、前記回収タンク、及び前記沈殿槽の内の少なくとも１つからプロセス水を受け取って濾過するために、前記大型廃水フィルタプレス、前記洗浄機、前記乾燥器、前記回収タンク、及び前記沈殿槽の内の少なくとも１つに動作可能に結合される少なくとも１つのプロセス水フィルタプレスと、
前記大型廃水フィルタプレス、前記洗浄機、前記乾燥器、及び前記沈殿槽の内の少なくとも１つから水を受け取って濾過するために、前記大型廃水フィルタプレス、前記洗浄機、前記乾燥器、及び前記沈殿槽の内の少なくとも１つに動作可能に結合される清浄水フィルタと、
前記洗浄機及び前記ダンプホッパーの内の少なくとも１つから前記デコーティングされた材料を受け取るために、前記洗浄機及び前記ダンプホッパーの内の少なくとも１つに動作可能に結合される水分離システムと、
前記デコーティングミル、前記回収タンク、前記洗浄機、加熱タンク、及び水タンクの内の少なくとも１つに動作可能に結合されるステージングタンクと、
前記加熱タンクの内容物を加熱するために、前記加熱タンクに動作可能に結合される給湯器と、
前記デコーティングミルにプロセス薬品を送達するために、前記デコーティングミルに動作可能に結合されるプロセス薬品供給システムと、
を備える、システム。
【請求項１３】
前記少なくとも１つの回転刃が、水平に及び垂直に平行移動することができる、請求項１２に記載のシステム。
【請求項１４】
前記少なくとも１つの回転刃が、水平方向で前記デコーティングミルタンクに対して４５．７ｃｍだけ平行移動することができる、請求項１２に記載のシステム。
【請求項１５】
前記少なくとも１つの回転刃が、垂直方向で前記デコーティングミルタンクに対して１２１．９ｃｍだけ平行移動することができる、請求項１２に記載のシステム。
【請求項１６】
前記少なくとも１つの回転刃が３つの回転刃を含む、請求項１２に記載のシステム。
【請求項１７】
第１のエレベータによって前記ステージングホッパーに動作可能に接続された積載ホッパーをさらに備える、請求項１２に記載のシステム。
【請求項１８】
前記ステージングホッパーが荷降ろしシステムに動作可能に接続される、請求項１２に記載のシステム。
【請求項１９】
前記少なくとも１つの回転刃がモータに動作可能に接続され、前記モータが３００ｈｐを有する、請求項１２に記載のシステム。
【請求項２０】
前記水分離システムが、少なくとも１つの横断方向パドルホイールを有する分離タンクを含む、請求項１２に記載のシステム。
【請求項２１】
前記水分離システムが、沈下物スクリーナー及び浮遊物スクリーナーの内の少なくとも１つを含む、請求項１２に記載のシステム。